(57)【特許請求の範囲】
【請求項１】
情報をユーザに表示するディスプレイを収容する表示筐体と、
フィットネスウォッチの機能性を制御するために前記ディスプレイ上に表示されたメニューをナビゲートする入力手段を有するユーザインタフェースと、
ナビゲーション衛星から送信された信号を受信するように構成されたアンテナとを備えるフィットネスウォッチケースであって、
前記ユーザインタフェースは、接続部分により前記ユーザインタフェースに物理的に接続されている前記表示筐体から離間され、前記接続部分は、前記表示筐体が使用中のユーザの手首の裏面に配置される場合に、前記ユーザインタフェースが前記ユーザの手首の側に配置されるように前記手首の周囲を湾曲又は拡張するように、前記表示筐体から前記ユーザインタフェースへの方向に沿って湾曲されるか、あるいは傾けられ、
前記ユーザインタフェースはチャンバを規定し、前記チャンバは前記アンテナを収容し、
前記フィットネスウォッチケースは、使用中の前記ユーザの手首と接触する下面と、使用中の前記ユーザの手首から離間して対向する上面とを有し、前記入力手段は、前記下面の部分に略平行で且つその上に配置された略平面を有し、その略平面に対して略垂直な方向、前記上面から前記下面に向かう方向に押下されることにより動作するように構成され、
前記フィットネスウォッチケースの前記上面には、前記表示筐体と前記ユーザインタフェースとの間に凹部が設けられており、
前記フィットネスウォッチケースは単一のモジュールとして形成されていることを特徴とするフィットネスウォッチケース。
【請求項２】
前記ディスプレイは、英数字又はアイコンの上部分が前記表示筐体の第１の側に向けて配置され、且つ前記英数字又はアイコンの下部分が前記表示筐体の逆の第２の側に向けて配置されるように前記英数字又はアイコンを表示するように構成され、前記ユーザインタフェースは、前記第１の側から前記第２の側への方向に前記表示筐体から離間されることを特徴とする請求項１記載のフィットネスウォッチケース。
【請求項３】
前記入力手段は、連続した押下面及び４つのアクチュエータを有する４方向ボタンを含み、前記４方向ボタンが、
前記押下面の第１の部分が押下される場合に第１の前記アクチュエータが第１の入力を提供して前記メニューをナビゲートし且つ前記フィットネスウォッチを制御するように作動し、
前記押下面の第２の部分が押下される場合に第２の前記アクチュエータが第２の入力を提供して前記メニューをナビゲートし且つ前記フィットネスウォッチを制御するように作動し、
前記押下面の第３の部分が押下される場合に第３の前記アクチュエータが第３の入力を提供して前記メニューをナビゲートし且つ前記フィットネスウォッチを制御するように作動し、且つ
前記押下面の第４の部分が押下される場合に第４の前記アクチュエータが第４の入力を提供して前記メニューをナビゲートし且つ前記フィットネスウォッチを制御するように作動するように構成されることを特徴とする請求項１又は２に記載のフィットネスウォッチケース。
【請求項４】
前記入力手段は、その表面にわたるユーザの指の動きを入力に変換して、前記メニューにナビゲートし且つ前記フィットネスウォッチを制御するように構成されたタッチパッドを含むことを特徴とする請求項１又は２に記載のフィットネスウォッチケース。
【請求項５】
前記チャンバは、前記入力手段の前記略平面の下に定められ、前記アンテナは、グローバルナビゲーション衛星システム（ＧＮＳＳ）受信機のパッチアンテナであることを特徴とする請求項１から４のいずれか１項に記載のフィットネスウォッチケース。
【請求項６】
前記表示筐体は、第１の平面に配置された略平面のディスプレイを有し、前記入力手段の前記略平面は第２の平面に配置され、前記第１の平面及び前記第２の平面が互いに傾いていることを特徴とする請求項１から５のいずれか１項に記載のフィットネスウォッチケース。
【請求項７】
前記第１の平面と第２の平面との間の二面角は、９０度未満であることを特徴とする請求項６記載のフィットネスウォッチケース。
【請求項８】
前記二面角は、２０度〜７０度であることを特徴とする請求項７記載のフィットネスウォッチケース。
【請求項９】
前記表示筐体及び前記ユーザインタフェースは、前記接続部分により分離された表示筐体部分及びユーザインタフェース部分を有する単一の一体型ケーシングに配置されることを特徴とする請求項１から８のいずれか１項に記載のフィットネスウォッチケース。
【請求項１０】
前記フィットネスウォッチケースは、前記フィットネスウォッチケースにおいてバッテリを充電するため及び／又は前記フィットネスウォッチケースに、あるいは前記フィットネスウォッチケースからデータを転送するために、前記フィットネスウォッチケースをドック又はケーブルに電気的に接続する１つ以上の電気コネクタを含むことを特徴とする請求項１から９のいずれか１項に記載のフィットネスウォッチケース。
【請求項１１】
前記フィットネスウォッチケースは、前記表示筐体から離れた方向に拡張し且つその上に配置された前記電気コネクタを有するフランジを含むことを特徴とする請求項１０記載のフィットネスウォッチケース。
【請求項１２】
前記電気コネクタは、前記表示筐体から遠位的な前記フランジの端部に配置されることを特徴とする請求項１１記載のフィットネスウォッチケース。
【請求項１３】
請求項１から１２のいずれか１項に記載のフィットネスウォッチケースと、フィットネスウォッチをユーザの腕又は手首に固定するバンドとを備えることを特徴とするフィットネスウォッチ。
【請求項１４】
前記バンドは少なくとも２つの開口部を含み、前記フィットネスウォッチケースのディスプレイ及び入力手段の各々は、前記バンドの開口部を通して突出することを特徴とする請求項１３記載のフィットネスウォッチ。
【請求項１５】
前記バンド及びフィットネスウォッチケースは、前記バンドが、前記フィットネスウォッチケースから繰り返し係合され且つ係合状態を解除されうるように、前記フィットネスウォッチケースと解放可能に係合可能であるように構成されることを特徴とする請求項１３又は１４記載のフィットネスウォッチ。
【請求項１６】
少なくとも２つの開口部を備え、バンド及び／又は前記バンドの開口部が請求項１から１２のいずれか１項に記載のフィットネスウォッチケースと開放可能に係合するように構成されるウォッチバンドであって、前記フィットネスウォッチケースのディスプレイ及び入力手段の各々は、使用中の前記バンドの開口部を通して投影することを特徴とするウォッチバンド。
【請求項１７】
請求項１０から１２のいずれか１項に記載のフィットネスウォッチケースと、前記フィットネスウォッチケースを充電するか、あるいは前記フィットネスウォッチケースとデータを交換するドッキングシステムとを備えるシステムであって、前記ドッキングシステムは、電荷及び／又はデータを前記フィットネスウォッチケースの電気コネクタに供給し、且つ／あるいは前記フィットネスウォッチケースからデータを受信するために、前記フィットネスウォッチケースの前記電気コネクタと接続するドッキング電気コネクタを含むことを特徴とするシステム。
【請求項１８】
前記ドックは、前記フィットネスウォッチケースのフランジを受けるスロットを有し、前記フィットネスウォッチの前記電気コネクタ及びドッキングコネクタは、前記スロット内に配置され且つ互いに係合するように構成されることを特徴とする請求項１１又は１２に従属する請求項１７記載のシステム。
【発明の詳細な説明】
【技術分野】
【０００１】
本発明は、フィットネスウォッチに関し、特に、好適な実施形態において多数の異なるドッキングソリューションに取り外し可能に装着されうるモジュールとして形成されるフィットネスウォッチのケーシングに関する。方法の例示的な実施形態は、運動中の特定の瞬間のユーザのペース及び／又は運動中にユーザが移動した距離を追跡及び記録できる例えば走者、サイクリスト等により着用されうる運動能力を監視するデバイスに関する。
【背景技術】
【０００２】
近年、ＧＰＳデバイスは、歩行及び屋外の用途に対して使用され始めている。例えば、ＧＰＳ受信機を含むフィットネスウォッチは、速度、移動距離等のリアルタイムデータを取得するための手段として、ジョギングをする人、走者、サイクリスト及び他のアスリート、並びにアウトドア愛好家により使用され始めている。そのようなフィットネスウォッチの一例を図１に示す。示される外観は、例えば米国特許第Ｄ６３７，９１８Ｓ号明細書におけるものであり、より詳細に説明されている関連付けられた機能性は、国際公開第２０１２／０４５４８３号Ａ１パンフレットにおけるものである。フィットネスウォッチは、ＬＣＤディスプレイ等の表示画面２２に接続されたプロセッサと、表示画面側の３プッシュボタン２８の形態の入力装置とを含む種々の電子部品を含む筐体２０を有する。プロセッサは、ウォッチのユーザの場所及び移動を判定するのに使用するために、例えばパッチアンテナの形態のアンテナを有するＧＰＳ及び／又はＧＬＯＮＡＳＳ受信機等のグローバルナビゲーション衛星システム（ＧＮＳＳ）受信機に接続される。ウォッチは、フットポッドセンサ又は心拍数センサ等の他のセンサからデータを受信する無線通信デバイスを更に備えてもよい。ウォッチは、ウォッチに対してデータを転送し、且つウォッチのバッテリを充電するために電力を提供する入出力（Ｉ／Ｏ）装置を更に備える。この場合、Ｉ／Ｏ装置は、ヒンジ付きふた２６の下のウォッチのバンド２４のバンドの端部に配置されたＵＳＢコネクタである。
【０００３】
少なくとも本発明の実施形態において、改善されたフィットネスウォッチを提供することが望ましい。
【発明の概要】
【０００４】
本発明は、情報をユーザに表示するディスプレイを収容する表示筐体と、ウォッチを制御する入力手段を有するユーザインタフェースとを含むフィットネスウォッチケースを提供する。ユーザインタフェースは、表示筐体から離間される。
【０００５】
本発明によると、ユーザインタフェースは、ディスプレイを含むウォッチの筐体部分、即ち一般に使用中のユーザの手首の裏面によりかかるウォッチの部分上に配置されない。例えば図１に示されるように、従来、ボタンは、表示筐体のウォッチ面上に配置されている。これは、ボタンのための領域に加えてディスプレイの受け入れ可能な領域を提供するために、表示筐体が相対的に大きい必要があることを意味している。この問題は、表示筐体の側端の周囲のウォッチボタンを提供することにより、従来技術において克服されている。しかし、そのようなボタンを起動するために、ユーザは、１本の指でボタンを押下し、且つ表示筐体の逆側の別の指を使用することによりその押圧力を平衡させなければならない。これは、フィットネスウォッチが使用されている多くの条件において常に容易ではない。本発明は、ユーザインタフェースを表示筐体から分離する時、これらの問題を克服できる。
【０００６】
ディスプレイは、英数字又はアイコンの上部分が表示筐体の第１の側に向けて配置され、且つ英数字又はアイコンの下部分が表示筐体の逆の第２の側に向けて配置されるように英数字又はアイコンを表示するように構成される。ユーザインタフェースは、前記第１の側から前記第２の側への方向に表示筐体から離間されることが好ましい。ユーザがディスプレイから離間されるユーザインタフェースを介してウォッチを制御しながらディスプレイを容易に閲覧できるため、この構成は、ユーザが手首の裏面に表示筐体を着用する際に有用である。ユーザインタフェースが表示筐体の前記第２の側から前記第１の側の方向に表示筐体から離間されてもよいことは、あまり好ましくない。ユーザがウォッチの上からユーザインタフェースに容易にアクセスできつつ、ディスプレイをユーザに対して向けることができるため、この構成は、例えばウォッチが自転車のハンドルバー又は別の乗り物に巻きつけられる際に有用だろう。
【０００７】
ウォッチケースは、使用中のユーザの腕又は手首と接触する下面と、使用中のユーザの腕又は手首から離間して対向する上面とを有する。上面は、表示筐体とユーザインタフェースとの間に凹設されることが好ましい。
【０００８】
入力手段は、使用中のウォッチを制御するように構成される。例えば入力手段は、ウォッチの機能性を制御し、且つウォッチ上に表示されたメニューをナビゲートするために使用されてもよい。従って、入力手段は、表示筐体における電子部品に電気的に接続される。例えばリボンリードは、表示筐体とユーザインタフェースとの間に拡張してもよい。
【０００９】
入力手段は、上面の部分に略平行で且つその上に配置された略平面を有することが好ましい。
【００１０】
入力手段は、例えばウォッチのディスプレイ上に表示されたメニューをナビゲートするために、入力を提供してウォッチを制御するように、略平面にわたるユーザの指の移動を検出するように構成されることが好ましい。従って、入力手段は、ユーザの指の動きを入力に変換してウォッチを制御するために、例えば静電容量感知／コンダクタンス感知を利用するタッチパッド（又はトラックパッド）を含んでもよい。タッチパッドは、例えば左右又は上下の単一の軸に沿う動きを感知できる１次元タッチパッドを含んでもよい。他のより好適な実施形態において、タッチパッドは、入力手段の略平面により規定された平面上のあらゆる方向又は少なくとも左右及び上下に動きを感知できる２次元タッチパッドを含んでもよい。
【００１１】
他のあまり好適でない実施形態において、入力手段は、ユーザの指、例えば一対の抵抗歪みゲージを使用することにより加えられた力を感知し、且つそれを入力に変換してウォッチを制御するポインティングスティック（又はトラックパッド）を含んでもよい。あるいは、入力手段は、連続した押下面及び２つのアクチュエータを有する２方向ボタンを含んでもよい。ボタンは、押下面の第１の部分が押下される場合に第１の前記アクチュエータが第１の入力を提供してウォッチを制御するように作動し、且つ押下面の第２の部分が押下される場合に第２の前記アクチュエータが第２の入力を提供してウォッチを制御するように作動するように構成される。あるいは、入力手段は、連続した押下面及び４つのアクチュエータを有する４方向ボタンを含んでもよい。ボタンは、押下面の第１の部分が押下される場合に第１の前記アクチュエータが第１の入力を提供してウォッチを制御するように作動し、押下面の第２の部分が押下される場合に第２の前記アクチュエータが第２の入力を提供してウォッチを制御するように作動し、押下面の第３の部分が押下される場合に第３の前記アクチュエータが第３の入力を提供してウォッチを制御するように作動し、且つ押下面の第４の部分が押下される場合に第４の前記アクチュエータが第４の入力を提供してウォッチを制御するように作動するように構成される。本明細書において説明する押下面は、使用中のユーザの腕又は手首に接触する下面の部分に平行で且つその上にある前記略平面であることが好ましい。ユーザインタフェースは、要望に応じて、タッチセンシティブユーザインタフェース上の仮想ボタン等のあらゆる１つ以上の機械的に作動するボタン又は非機械的に作動するボタンを含んでもよいとも考えられる。
【００１２】
更に又はあるいは、入力手段は、その略平面に対して略垂直な方向、上面から下面に向かう方向に押下されることにより動作するように構成されることが好ましい。これにより、ユーザは、１本の指を使用してユーザインタフェースを操作できる。ユーザインタフェースがウォッチを着用するユーザの手首に押し付けられるように配置されるため、ユーザは、ユーザインタフェースの押下を平衡させるために同一の手の第２の指を使用する必要はない。
【００１３】
略平面にわたるユーザの指の移動を検出し、且つユーザの手首に押し付けられるように入力手段が構成される、例えばユーザインタフェースが押下可能なタッチパッドを含む好適な実施形態において、検出されたユーザの指の動きは、選択される機能を識別するためにウォッチのメニューをナビゲートするために使用され、入力手段の押下は、識別された機能を選択するために使用される。
【００１４】
上述したように、入力手段は、上面の部分に略平行で且つその上に配置された略平面を有することが好ましく、いくつかの実施形態においては押下された場合にウォッチを制御する押下面を含む。実施形態において、ユーザインタフェースは、表示筐体においてではなく、以下において更に詳細に説明されるようにフィットネスウォッチの１つ以上の構成要素を収容するために使用されうる例えば平面（又は押下）面の下のチャンバを規定する。
【００１５】
例えば、実施形態において、チャンバは、ナビゲーション衛星から送信された信号を受信するように構成されたグローバルナビゲーション衛星システム（ＧＮＳＳ）受信機のパッチアンテナ等のアンテナを収容してもよい。明らかなように、フィットネスウォッチは、ユーザがある場所から別の場所に移動する時にユーザの場所を追跡する手段を備えることが好ましく、好適な実施形態においては、特定の時点における受信機（すなわち、ユーザ）の位置及びオプションとして速度を示す衛星信号を受信し、且つ定期的に更新された情報を受信するＧＰＳ受信機等のＧＮＳＳ受信機を備える。この構成、即ちアンテナがチャンバに収容される構成は、表示筐体から離間されるために使用中のユーザの手首の裏面に配置されないという点で有利である。むしろ、表示筐体からチャンバを離間することにより、使用中のユーザの手首の側にアンテナを配置できる。従って、高速のウォーキング、ジョギング又はランニング等の活動のためにウォッチが使用されている場合、場所センサは、衛星からデータを受信するのに最適な角度になるように自然に略鉛直上方に向けられる。また、ウォッチが自転車のハンドルバーに巻きつけられる場合、ディスプレイは、チャンバ、即ちアンテナを鉛直上方に向けつつ、ユーザに対向するように配置されうる。パッチアンテナをバッテリの上に巻きつける必要がないため、チャンバにおけるアンテナの筐体は、ウォッチケースの表示筐体が、一般に従来のフィットネスウォッチで可能であるよりも薄型化を可能にするという利点も提供する。
【００１６】
ウォッチの表示筐体は、ウォッチの以下の他の構成要素、即ちウォッチに電力供給するバッテリ、例えばＧＮＳＳ処理ユニット（又はチップセット）を有するプリント回路基板（ＰＣＢ）、大気圧（高度及び／又は深度を判定するのに使用するための）を測定する圧力センサ、パルスセンサ、警告をユーザに示す振動デバイス、加速度計、電子コンパス、プロセッサ又はＢｌｕｅｔｏｏｔｈモジュール（例えば、Ｂｌｕｅｔｏｏｔｈ低エネルギー（ＢＬＥ）プロトコルを使用できる）等の無線通信デバイスのうちのいずれか１つ又は２つ以上のあらゆる組み合わせを収容してもよいと考えられる。
【００１７】
ウォッチの別の構成要素又は更なる構成要素は、表示筐体ではなくチャンバに収容されてよいとも考えられる。例えばチャンバは、ウォッチの以下の構成要素、即ちウォッチに電力供給するバッテリ、例えばＧＮＳＳ処理ユニット（又はチップセット）を有するプリント回路基板（ＰＣＢ）、大気圧（高度及び／又は深度を判定するのに使用するための）を測定する圧力センサ、パルスセンサ、警告をユーザに示す振動デバイス、加速度計、電子コンパス、プロセッサ又はＢｌｕｅｔｏｏｔｈモジュール（例えば、Ｂｌｕｅｔｏｏｔｈ低エネルギー（ＢＬＥ）プロトコルを使用できる）等の無線通信デバイスのうちのいずれか１つ又は２つ以上のあらゆる組み合わせを収容してもよい。
【００１８】
表示筐体は、第１の平面に配置されたＬＣＤディスプレイ等の略平面のディスプレイを有することが好ましく、ユーザインタフェースは、第２の平面において配置された略平面（押下）面を有することが好ましく、第１の平面及び第２の平面が互いに傾いている。２つの平面間の二面（又は捩れ）角は、９０度未満であることが好ましく、２０度〜７０度であることが好ましい。換言すると、平面は仮想交差面であり、使用中のユーザの腕又は手首に対向する平面の辺は、交差におけるそれらの間の角度を規定し、角度は、９０度より大きく且つ１８０度より小さいことが好ましい。互いに傾いている表面を提供することにより、ユーザは、ウォッチを着用している際にユーザインタフェースを操作しつつ、ディスプレイの良好な閲覧角度を使用できる。ユーザインタフェースが表示筐体、即ちユーザの手首の裏面及び使用中の手首の側の周りから離間されるため、ユーザインタフェースが押下される際にユーザの手首が押圧力を平均化するのに必要な反力を提供するようユーザの手首に押し付けられるように、前記角度によりユーザインタフェースを配向することも可能である。従って、ユーザインタフェースは、表示筐体の周辺にボタンを有する従来のウォッチのように押圧力を平衡させるために同一の手の第２の指を必要とせずに、１本の指で操作されうる。
【００１９】
表示筐体は、表示筐体からユーザインタフェースへの方向に沿って湾曲されるか、あるいは傾けられる接続部分によりユーザインタフェースに物理的に接続される。接続部分は、表示筐体が使用中のユーザの手首の裏面に配置される場合に、ユーザフェースがユーザの手首の側に配置されるように手首の周囲を湾曲又は拡張するように湾曲されてもよく、あるいは傾けられてもよい。ウォッチは、表示筐体がユーザの手首の裏面に配置される場合にユーザインタフェースが手首の内側に配置されるように構成されることが好ましい。内側は、手の甲が鉛直上方に対向している場合にユーザの身体に対向する側である。
【００２０】
ウォッチケースは、前記ケーシングにおいてバッテリを充電するため及び／又は前記ケーシングに、あるいは前記ケーシングからデータを転送するために、前記ケーシングをドック又はケーブルに電気的に接続する１つ以上の電気コネクタを含んでもよい。いかなる既知の電気コネクタをウォッチ上に採用してもよいと考えられる。しかし、好適な実施形態において、１つ以上の電気コネクタは、平坦であり、且つ実質的にケースの下面に沿って配置されるか、あるいは凹設されてもよい（ドッキングシステムにおいて対応するポゴピンと接触するために）電気的コンタクトを含む。電気的コンタクトは、好適な実施形態においてはウォッチケースのユーザインタフェース部分の下の下面、例えば表示筐体から遠位的な下面の端部に配置されるが、要望に応じてケースの下面のあらゆる部分に配置されてもよい。これにより、ユーザは、ウォッチケースがドッキングシステムに位置する場合にウォッチディスプレイを見ることができる。
【００２１】
ウォッチケースは、フィットネスウォッチの電気部品を含むモジュールとして構成されることが好ましい。モジュールは、雨天の屋外の運動及び水泳に対してウォッチを使用できるように、耐水性のシールドモジュールであることが好ましい。換言すると、表示筐体及びユーザインタフェースは、接続部分により離間された表示筐体部分及びユーザインタフェース部分を有する単一の一体型ケーシングに配置されることが好ましい。従って、接続部分は、一体型ケーシングの部分でもあることが好ましい。この構成において、ウォッチケースは、複数の異なるドッキングソリューションに取り外し可能に装着されうる。即ち、ウォッチケースは、複数の異なるドッキングソリューションに繰り返し係合され且つ係合状態を解除されうる。例えばウォッチケースは、ウォッチをユーザの手首または腕に固定するため、且つ／あるいはモジュールを自転車又はカヤック等の他の乗り物に固定するためにバンドの１つ以上の開口部に接続可能又は挿入可能であってよい。ウォッチケースは、例えば電力及び／又はデータをウォッチの構成要素に転送できるようにユーザの家に置いておくことが望ましいドックに更に設けられてよい。ウォッチケースがバンドの１つ以上の開口部に挿入可能な実施形態において、ケース、並びに好ましくはユーザインタフェース及び／又は表示筐体は、バンドの対応する機能と開放可能に係合する１つ以上の突起部及び／又は凹部を含む。ウォッチケースがバンドに接続又は挿入される場合、ユーザインタフェースは、バンドの長手方向に表示筐体から離間されることが好ましい。
【００２２】
他のあまり好適でない実施形態において、バンドは、表示筐体部分及びユーザインタフェース部分を接続する前記接続部分を形成してもよい。上述したように、接続部分は、使用中のユーザの手首の周囲を拡張するように湾曲されるか、あるいは傾けられることが好ましい。バンドは、屈曲あるいは旋回して湾曲した部分又は傾いた部分を形成するように、柔軟性を有してもよく、あるいは１つ以上の旋回可能な部分から形成されてもよい。
【００２３】
本発明は、上述したようなウォッチと、ウォッチケースを充電するか、あるいはウォッチケースとデータを交換するドッキングシステムとを備えるシステムを更に提供する。ドッキングシステムは、電荷及び／又はデータをウォッチケースの電気コネクタに供給し、且つ／あるいはウォッチからデータを受信するために、ウォッチ上の電気コネクタと接続するドッキング電気コネクタを含む。
【００２４】
ドックは、ウォッチケーシングの少なくとも一部を受信するスロットを有し、ウォッチの電気コネクタ及びドッキングコネクタは、スロット内に配置され且つスロット内で互いに係合するように構成される。
【００２５】
ウォッチ上の電気コネクタは、平坦であり、且つ使用中のユーザに引っかからないように実質的にウォッチケーシングの表面に沿って配置されてもよい電気的コンタクトであることが好ましい。ドックにおける電気コネクタは、ウォッチがドッキングされる際にバイアスをかけられてウォッチ上のコネクタと係合するポゴコネクタ等の弾性的にバイアスをかけられたコネクタであってもよい。しかし、電気コネクタのあらゆる周知の手段は、ウォッチ上又はドックにおいて採用されてもよいと考えられる。
【００２６】
フィットネスウォッチケース、即ち運動能力を監視でき、且つユーザがある場所から別の場所に移動する時にユーザの場所を追跡する（例えば、グローバルナビゲーション衛星信号から受信した情報を使用することにより、あるいはＷｉＦｉアクセスポイント又はセルラ通信ネットワークインアクセスしてそこから情報を受信することにより）手段を備えるウォッチを参照して本発明を説明したが、ユーザインタフェースを表示筐体から離間することは、あらゆる形態のウォッチにおいて有益な構成と更になりうることが理解されるだろう。
【００２７】
更なる態様又は実施形態のうちのいずれかに係る本発明は、互いに一致するような程度まで本発明の他の態様又は実施形態を参照して説明されるいかなる特徴を含んでもよい。
【００２８】
これらの実施形態の利点は以下において説明され、これらの実施形態の各々の更なる詳細及び特徴は、添付の従属請求項及び以下の詳細な説明中の他の場所において規定される。
【図面の簡単な説明】
【００２９】
添付の図面を参照して、本発明の教示の種々の態様及びそれらの教示を具体化する構成を例として以下において説明する。
【図１】図１は、例示的な従来のフィットネスウォッチを示す斜視図である。
【図２】図２は、全地球測位システム（ＧＰＳ）を示す概略図である。
【図３】図３は、好適な一実施形態に係るフィットネスウォッチの電子部品を示す概略図である。
【図４】図４は、フィットネスウォッチが無線通信チャネルを介して情報を受信してもよい方法を示す概略図である。
【図５】図５は、バンドに位置する本発明の好適な一実施形態に係るフィットネスウォッチケーシング（又はモジュール）を示す斜視図である。
【図６】図６は、図５のウォッチケーシング（又はモジュール）を示す図である。
【図７】図７は、下側から見た図６のウォッチケーシング（又はモジュール）を示す図である。
【図８】図８は、フィットネスウォッチケーシング（又はモジュール）のない図５のウォッチバンドを示す図である。
【図９】図９は、ウォッチケーシングを示す横断面図であり、ケーシング内の構成要素を示す図である。
【図１０】図１０は、表示筐体におけるディスプレイにより規定された平面とユーザインタフェースの表面により規定された平面との間の二面（又は捩れ）角を示す図である。
【図１１】図１１は、ウォッチ上の好適なメニューシステムを示す概略図である。
【図１２】図１２は、図１１に示されたメニューシステムに対してウォッチが表示してもよい表示画面の例を示す図である。  図中、同一の図中符号は同一の機能に対して使用される。
【発明を実施するための形態】
【００３０】
次に、全地球測位システム（ＧＰＳ）データへアクセスできるフィットネスウォッチ又はスポーツウォッチを特に参照して、本発明の好適な実施形態を説明する。説明されるようなフィットネスウォッチ又はスポーツウォッチは、多くの場合アスリートにより着用される。フィットネスウォッチ又はスポーツウォッチは、例えばユーザの速度及び距離を監視し、且つこの情報をユーザに提供することにより、アスリートが走っているか又は運動している間に彼らを支援する。しかし、デバイスは、ユーザにより携行されるか、あるいは例えば自転車又はカヤック等の乗り物に既知の方法で接続又は「ドッキング」されるように構成されうることが理解されるだろう。
【００３１】
図２は、そのようなデバイスにより使用可能な全地球測位システム（ＧＰＳ）の一例を示す図である。そのようなシステムは、既知であり、種々の目的のために使用される。一般にＧＰＳは、連続した位置、ベロシティ、時間及びいくつかの例においては無数のユーザに対する方向情報を判定できる衛星無線を使用したナビゲーションシステムである。以前はＮＡＶＳＴＡＲとして既知であったＧＰＳは、極めて正確な軌道で地球を周回する複数の衛星を含む。これらの正確な軌道に基づいて、ＧＰＳ衛星は自身の場所をいかなる数の受信ユニットにも中継できる。
【００３２】
ＧＰＳシステムは、特にＧＰＳデータを受信できるデバイスがＧＰＳ衛星信号に対する無線周波数の走査を開始する場合に実現される。ＧＰＳ衛星から無線信号を受信すると、デバイスは、複数の異なる従来の方法のうちの１つを用いて、その衛星の正確な場所を判定する。殆どの例において、デバイスは、少なくとも３つの異なる衛星信号を取得するまで信号の走査を継続する（尚、一般に位置は、他の三角測量技術を使用して２つの信号のみを用いて判定されないが、判定も可能である）。幾何学的三角測量を実現すると、受信機は、３つの既知の位置を利用して衛星に対する自身の２次元位置を判定する。これは既知の方法で実行されうる。更に、第４の衛星信号を取得することにより、受信デバイスは、同一の幾何学計算により既知の方法でその３次元位置を計算できる。位置及びベロシティのデータは、無数のユーザにより連続的にリアルタイムで更新されうる。
【００３３】
図２に示すように、ＧＰＳシステム全体を図中符号１００で示す。複数の衛星１２０は、地球１２４の周囲の軌道上にある。各衛星１２０の軌道は、他の衛星１２０の軌道と必ずしも同期せず、実際には非同期である可能性が高い。ＧＰＳ受信機１４０は、種々の衛星１２０からスペクトル拡散ＧＰＳ衛星信号１６０を受信するものとして示される。
【００３４】
各衛星１２０から継続的に送信されたスペクトル拡散信号１６０は、極めて正確な原子時計を用いて達成された非常に正確な周波数標準を利用する。各衛星１２０は、そのデータ信号送信１６０の一部として、その特定の衛星１２０を示すデータストリームを送信する。一般にＧＰＳ受信機デバイス１４０は、ＧＰＳ受信機デバイス１４０に対する少なくとも３つの衛星１２０からスペクトル拡散ＧＰＳ衛星信号１６０を取得し、三角測量によりその２次元位置を計算することが当業者には理解される。追加の信号を取得する結果、全部で４つの衛星１２０から信号１６０を取得することになり、それによりＧＰＳ受信機デバイス１４０は、その３次元位置を既知の方法で計算できる。
【００３５】
図３は、本発明の好適な一実施形態に係るスポーツウォッチ２００の電子部品をブロック構成要素の形式で例示的に示す図である。尚、デバイス２００のブロック図は、デバイスの全ての構成要素を含むものではなく、構成要素の多くの例を表すにすぎない。
【００３６】
デバイス２００は、押下可能なタッチパッド（又はトラックパッド）等の入力装置２１２に接続されたプロセッサ２０２と、ＬＣＤディスプレイ等の表示画面２１０とを含む。デバイス２００は、例えばある特定の速度に到達したこと又はある特定の距離を移動したことを警告する可聴情報をユーザに提供するように構成された出力装置を更に備えてよい。
【００３７】
図３は、プロセッサ２０２とＧＰＳアンテナ／受信機２０４との間の動作可能接続を更に示す。アンテナ及び受信機は、図示するために概略的に組み合わされるが、別個に配置された構成要素であってもよい。アンテナは、あらゆる適切な形態であってもよいが、好適な一実施形態においてはＧＰＳパッチアンテナである。
【００３８】
デバイス２００は加速度計２０６を更に備える。加速度計２０６は、ｘ方向、ｙ方向及びｚ方向のユーザの加速を検出するように構成された３軸加速度計であってよい。加速度計は、ＧＰＳ受信がない時／場合に使用するための歩数計として機能してもよく、且つ／あるいはフィットネスウォッチが水泳中に使用されている時に脈拍数を検出するように機能してもよい。加速度計は、デバイス内に配置されるように示されるが、ユーザにより着用又は携行され、且つ送信機／受信機２０８を介してデバイス２００にデータを送信する外部センサであってもよい。
【００３９】
デバイスは、フットポッドセンサ２２２又は心拍数センサ２２６等の他のセンサからデータを更に受信してもよい。例えばフットポッドセンサは、ユーザの靴の靴底の中又は上に配置される圧電加速度計又は微小電気機械システム（ＭＥＭＳ）加速度計であってもよい。各外部センサは、送信機／受信機２０８を介してデバイス２００に対してデータを送出又は受信するために使用可能な送信機及び受信機２２４及び２２８をそれぞれ備える。
【００４０】
プロセッサ２０２は、メモリ２２０に動作可能に結合される。例えばメモリリソース２２０は、ランダムアクセスメモリ（ＲＡＭ）等の揮発性メモリ及び／又は不揮発性メモリ、例えばフラッシュメモリ等のデジタルメモリを含んでもよい。メモリリソース２２０は取り外し可能であってもよい。以下において更に詳細に説明するように、メモリリソース２２０は、ＧＰＳ受信機２０４、加速度計２０６及び送信機／受信機２０８から取得したデータを格納するために、これらのセンサ及びデバイスに更に動作可能に結合される。
【００４１】
また、図３に示された電子部品は、従来の方法で電源２１８により電力供給されることが当業者には理解されるだろう。電源２１８は充電池であってもよい。
【００４２】
デバイス２００は、複数の電気的コンタクト又はＵＳＢコネクタ等の入出力（Ｉ／Ｏ）装置２１６を更に備える。Ｉ／Ｏ装置２１６は、プロセッサ、並びに少なくともメモリ２２０及び電源２１８にも動作可能に結合される。例えばＩ／Ｏ装置２１６は、プロセッサ２２０、センサ等のファームウェアを更新し、メモリ２２０に格納されたデータをパーソナルコンピュータ又はリモートサーバ等の外部の計算リソースに転送し、且つデバイス２００の電源２１８を充電するために使用される。他の実施形態において、データは、あらゆる適切な移動遠隔通信手段を使用して無線でデバイス２００により更に送出又は受信されうる。
【００４３】
当業者により理解されるように、図３に示された部品の異なる構成は本発明の範囲内であると考えられる。例えば、図３に示された部品は、有線及び／又は無線接続等を介して互いに通信していてもよい。
【００４４】
図４において、ウォッチ２００は、あらゆる数の異なる構成により実現されうる汎用通信チャネル４１０を介してサーバ４００と通信しているものとして示される。サーバ４００及びデバイス２００は、接続がサーバ４００とウォッチ２００との間に確立される時に通信可能である（尚、そのような接続は、移動デバイスを介するデータ接続、インターネットを介するパーソナルコンピュータを介した直接接続等であってよい）。
【００４５】
サーバ４００は、図示されなくてもよい他の構成要素に加えて、メモリ４０６に動作可能に接続され且つ有線又は無線接続を介して大容量データ記憶装置４０２に更に動作可能に接続されるプロセッサ４０４を含む。プロセッサ４０４は、送信機４０８及び受信機４０９に更に動作可能に接続され、通信チャネル４１０を介してデバイス２００に対して情報を送信及び送出する。送受信される信号は、データ、通信及び／又は他の伝播信号を含んでもよい。送信機４０８及び受信機４０９の機能は、信号送受信機に組み合わされてもよい。
【００４６】
通信チャネル４１０は、特定の通信技術に限定されない。また、通信チャネル４１０は単一の通信技術に限定されない。即ち、チャネル４１０は、種々の技術を使用するいくつかの通信リンクを含んでもよい。例えば通信チャネル４１０は、電気通信、光通信及び／又は電磁通信等のためにパスを提供するように構成されうる。従って、通信チャネル４１０は、電気回路、ワイヤ及び同軸ケーブル等の電気導体、光ファイバケーブル、変換器、無線周波数（ＲＦ）波、大気、空所等のうち１つ又はそれらの組み合わせを含むが、それらに限定されない。更に通信チャネル４１０は、例えばルータ、中継器、バッファ、送信機及び受信機等の中間装置を含んでよい。
【００４７】
例示的な一構成において、通信チャネル４１０は、電話及びコンピュータネットワークを含む。更に通信チャネル４１０は、無線周波数通信、マイクロ波周波数通信、赤外線通信等の無線通信に対応できてもよい。また、通信チャネル４１０は衛星通信に対応できる。
【００４８】
サーバ４００は、無線チャネルを介してウォッチ２００によりアクセス可能なリモートサーバを含んでもよい。サーバ４００は、ローカルエリアネットワーク（ＬＡＮ）、ワイドエリアネットワーク（ＷＡＮ）、仮想プライベートネットワーク（ＶＰＮ）等に配置されたネットワークサーバを含んでもよい。
【００４９】
サーバ４００は、デスクトップコンピュータ又はラップトップコンピュータ等のパーソナルコンピュータを含んでもよい。通信チャネル４１０は、パーソナルコンピュータとウォッチ２００との間に接続されたケーブルであってもよい。あるいは、パーソナルコンピュータは、ウォッチ２００とサーバ４００との間に接続され、サーバ４００とウォッチ２００との間にインターネット接続を確立してもよい。あるいは、移動電話又は他のハンドヘルドデバイスは、インターネットを介してウォッチ２００をサーバ４００に接続するためにインターネットへの無線接続を確立してもよい。
【００５０】
サーバ４００は、大容量記憶装置４０２に更に接続される（又は大容量記憶装置４０２を含む）。大容量記憶装置４０２は、少なくともデジタル地図情報のストアを含む。このデジタル地図情報は、デバイスからのデータ、例えばＧＰＳ受信機２０４から取得されたタイムスタンプを押された場所データ及び加速度計２０６、フットポッドセンサ２２２等から取得された着用者の動きを示すデータと共に、その後デバイス２００の着用者が閲覧可能な着用者が移動した経路を判定するために使用されうる。
【００５１】
明らかなように、ウォッチ２００は、走者又は他のアスリートが走ること又は他の同種の運動を行う時に彼らが着用するように設計される。ＧＰＳ受信機２０４及び加速度計２０６等のウォッチ２００内の種々のセンサは、例えば移動距離、現在の速度等のこの走りと関連付けられたデータを収集し、表示画面２１０を使用してこのデータを着用者に対して表示する。
【００５２】
図５は、複数の異なるドッキングソリューションに挿入可能なモジュールの形態の本発明の好適な一実施形態に係るフィットネスウォッチケーシング５０２を示す斜視図である。ウォッチケーシング５０２は、互いに離間している表示筐体５０４及びユーザインタフェース５０６を含む。図５に示された実施形態において、ウォッチケーシング５０２は、フィットネスウォッチ５００を機能させるためにユーザの手首に着用可能なバンド５０８における開口部５１３及び５１４（図８に示されるような）に挿入される。明らかなように、ウォッチケーシング５００のユーザインタフェース部分５０６は、開口部５１４を通るように構成され、表示筐体部分５０４は、開口部５１３を通るように構成される。バンド５０８は、従来の方法でバックル５１２により互いに接続する２つの部分５０９及び５１０から形成される。バンド５０８とウォッチケーシング５００上の凹部と突起部、例えば図６に示されるような突起部５１９とが協働することにより、ウォッチケーシング５００は、バンド５０８内の位置に解放可能に係合し且つ維持されうる。
【００５３】
図６は、モジュールがバンド５０８から係合状態を解除された後のウォッチケーシング５０２を示す斜視図である。上述したように、ケーシング５０２は、表示筐体５０４と、表示筐体から離間されるユーザインタフェース５０６とを有する。表示筐体部分５０４は、略直方体の構成であり、情報をユーザに表示するための略平面のディスプレイ５１６を有する。ウォッチのこの部分は、使用中のユーザの手首の裏面に位置する。ユーザインタフェース部分５０６は、接続部分５１８により表示筐体５０４に接続される。この接続部分５１８は、表示筐体５０４から離れて拡張するフランジであるとみなされてよい。フランジ５１８は、使用している側のユーザの手首の周囲をカーブするように、表示筐体５０４から離れて拡張するにつれカーブする。ユーザインタフェース５０６は、使用している側のユーザの手首に配置されるようにフランジ５１８上に配置される。ユーザインタフェース５０６は、ユーザがウォッチ５００と対話するために略平面の押下面を有する。それにより、ユーザは、ウォッチ５００を制御するように、例えばウォッチのメニューシステム内の所望の機能を選択するように、押下面に垂直の方向に押下面を押下できる。
【００５４】
使用している側のユーザの手首の近くに位置するようにカーブしたフランジ５１８上に配置されているユーザインタフェース５０６の場所は、多くの重要な利点を有する。例えばこれにより、ユーザは、１本の指のみを使用してウォッチ５００と対話できる。より具体的には、ユーザは、ウォッチが巻きつけられるユーザの手首の周囲にユーザインタフェース５０６の押下面を押し込むため、１本の指で押下面を押下できる。これは、ボタンがウォッチの周端部の周りに配置され、且つユーザが１本の指でボタンを押下し且つ押圧力を平衡させるためにウォッチの他端上で親指を使用しなければならない従来のウォッチとは対照的である。また、以下において更に詳細に説明されるように、ユーザインタフェース５０６は、ＧＰＳパッチアンテナ５３８等の１つ以上の他の構成要素を収容するチャンバ５３６を規定してもよい（図９を参照）。手首の内側にＧＰＳアンテナ５３８を配置することにより、ランニング中に手首の内側が実質的に上方に向けられるため、ＧＰＳアンテナは、走者が着用する際にＧＰＳ信号を受信するために最適な位置にある。図１０に示されるように、表示筐体５０４の略平面のディスプレイにより規定される平面は、ユーザインタフェース５０６により規定される場所に対してある角度をなして配置され、２つの平面間の二面画５５０は、９０度未満であり、一般に２０度〜７０度である。
【００５５】
図７は、ケースの下側からのウォッチケーシング５０２を示す概略図である。表示筐体５０４から拡張するフランジ５１８は、その遠位端に配置された電気コネクタ５２０を有する。これらの電気コネクタ５２０は、ウォッチケーシング５０２内のバッテリを充電するため、あるいはウォッチ５００からデータを抽出するか又はウォッチ５００にデータを入力するために、ケーシング５０２を別のデバイスに電気的に接続するように使用されてもよい。電気コネクタ５２０は、フランジ５１８の遠位端に配置されるため、ウォッチの電気的接続５２０を係合するためのドッキング電気的接続を有するドッキングデバイスのスロットに挿入されるように最適に配置される。あるいは、ウォッチ５００の電気コネクタ５２０は、ケーブルと接続されるように配置されうる。バンド５０８を除去することにより、ウォッチ５００をケーブルに容易にドッキング又は接続できることが理解されるだろう。電気コネクタ５２０は、図３に関連して説明した入出力ポート２１６として使用されてもよい。
【００５６】
図９は、ウォッチのケーシング５０２を示す横断面図であり、ウォッチの基本構成要素の好適な構成を示す。
【００５７】
表示筐体部分５０４は、バッテリ（好ましくは充電池）５２１と、液晶ディスプレイ（ＬＣＤ）ディスプレイ５２２と、ＬＣＤディスプレイ５２２の上のレンズスクリーン５２４と、ＬＣＤディスプレイ５２２の下のプリント回路基板（ＰＣＢ）５２６とを含む。一般にＰＣＢ５２６は、パッチアンテナ５３８に動作可能に接続され、且つデバイスの場所及び速度を判定するために受信した衛星信号を処理するように構成されるＧＮＳＳチップセットを含む。更にＰＣＢ５２６は、好適にはＢｌｕｅｔｏｏｔｈ  ｖ４．０規格の一部を形成するＢｌｕｅｔｏｏｔｈ低エネルギー（ＢＬＥ）プロトコルを使用できるＢｌｕｅｔｏｏｔｈチップセット等の無線通信デバイスを備え、心拍数モニタ及びフットポッドセンサ等の１つ以上の外部センサとの接続を形成するために使用されうる。表示筐体部分５０４は、圧力センサ５２８及び振動デバイス５３０を更に備える。圧力センサ５２８は、ウォッチ５００が存在する環境の周囲圧力を検出するように働く。例えばセンサ５２８は、水中の圧力を検出するために使用されてもよく、これを水内の深度の推定値に関連付けてもよい。あるいは、圧力センサ５２８は、高度を判定するために使用されてもよい。振動デバイス５３０は、ウォッチの着用者に非常に近接するように、ケーシング５０２の下側に隣接して配置される。振動デバイス５３０は、警告をユーザに提供するように起動される際に振動するように構成される。図９から分かるように、ウォッチケーシング５０２は、上部のケーシング５４２が下部のケーシング５４４と係合し、且つウォッチの電子部品が上部のケーシングと下部のケーシングとの間に入れられた単一のモジュールとして形成される。
【００５８】
ユーザインタフェース部分５０６は、ウォッチの構成要素が配置されてもよいチャンバ５３６を規定する。チャンバ５３６は、ボタンベゼル５３２及び下部のケーシング５４４により定められてもよい。パッチアンテナ５３８はチャンバ５３６に配置される。図６に関連して上述したように、この構成により、アンテナ５３８がユーザの手首の内側に位置できるため、ＧＰＳアンテナ５３８は、ランニング中に着用される際に自然に上方に向けられる。これは、ＧＰＳアンテナがディスプレイの下に配置される従来のスポーツウォッチとは対照的である。そのような従来のウォッチにおけるディスプレイがユーザの手首の裏面に位置するように設計されるため、ディスプレイ、即ちＧＰＳアンテナは、ユーザが走っている間に上方に向かず、よってＧＰＳ信号を受信するのに最適な位置にない。本発明の実施形態によると、表示筐体部分５０４の外側のＧＰＳアンテナ５３８の好適な場所により、所定の多数の構成要素に対してウォッチ筐体部分５０４を縮小させることも可能である。ユーザインタフェース部分５０６の電子機器は、リボンケーブル５４０等により表示筐体部分５０４の電子機器に電気的に接続される。
【００５９】
ユーザインタフェース部分５０６は、ユーザの指の動きを入力に変換してウォッチを制御するために、例えば静電容量感知／コンダクタンス感知を利用するタッチパッド（又はトラックパッド）５３２を含む。タッチパッドは、例えば左右又は上下の単一の軸に沿う動きを感知できる１次元タッチパッドを含んでもよい。他のより好適な実施形態において、タッチパッド５３２は、入力手段の略平面により規定された平面上のあらゆる方向又は少なくとも左右及び上下に動きを感知できる２次元タッチパッドを含む。タッチパッド５３２は、例えばウォッチのメニューシステム内の所望の機能を選択するのに使用するために押下可能であるように更に構成される。これにより、ユーザは、１本の指を使用してユーザインタフェースを操作できる。ユーザインタフェースがウォッチを着用するユーザの手首に押し付けられるように配置されるため、ユーザは、ユーザインタフェースの押下を平衡させるために同一の手の第２の指を使用する必要はない。図９に示されるように、リボンケーブル５４０を介して表示筐体５０４内の関連する構成要素に送信するために検出された動きを電気信号に変換するセンサ５３４により、タッチパッドの押下が検出される。
【００６０】
他の実施形態において、ユーザインタフェース部分５０６は、ユーザの指、例えば一対の抵抗歪みゲージを使用することにより加えられた力を感知し、且つそれを入力に変換してウォッチを制御するポインティングスティック等の他の種類の入力手段を利用してもよい。あるいは、入力手段は、連続した押下面及び２つのアクチュエータを有する２方向ボタンを含んでもよい。ボタンは、押下面の第１の部分が押下される場合に第１の前記アクチュエータが第１の入力を提供してウォッチを制御するように作動し、且つ押下面の第２の部分が押下される場合に第２の前記アクチュエータが第２の入力を提供してウォッチを制御するように作動するように構成される。あるいは、入力手段は、連続した押下面及び４つのアクチュエータを有する４方向ボタンを含んでもよい。ボタンは、押下面の第１の部分が押下される場合に第１の前記アクチュエータが第１の入力を提供してウォッチを制御するように作動し、押下面の第２の部分が押下される場合に第２の前記アクチュエータが第２の入力を提供してウォッチを制御するように作動し、押下面の第３の部分が押下される場合に第３の前記アクチュエータが第３の入力を提供してウォッチを制御するように作動し、且つ押下面の第４の部分が押下される場合に第４の前記アクチュエータが第４の入力を提供してウォッチを制御するように作動するように構成される。本明細書において説明する押下面は、使用中のユーザの腕又は手首に接触する下面の部分に平行で且つその上にある前記略平面であることが好ましい。ユーザインタフェースは、要望に応じて、タッチセンシティブユーザインタフェース上の仮想ボタン等のあらゆる１つ以上の機械的に作動するボタン又は非機械的に作動するボタンを含んでもよいとも考えられる。
【００６１】
上述したように、ユーザインタフェース部分５０６は、表面にわたる２次元でユーザの指の移動を検出できるトラックパッドを含む。これは、ディスプレイ５２２により表示されたメニューシステムをナビゲートするために特に有用である。本発明の実施形態は、例えば図１１において示されるような「立方体」設計メニューシステムを使用することが好ましい。「立方体」メニューシステムは、立方体面が広げられた場合に立方体の構造に類似するためにそのように呼ばれる。
【００６２】
図１１は、メニューシステムを示す一般的な概略図であり、図１２は、メニューシステムの各部分に含まれてもよいコンテンツの種類の一例を示す。図１１及び図１２に示されるように、ディスプレイは、クロック又は他の情報を表示してもよいデフォルトホーム画面６００を有してもよい。ユーザは、メニューシステムの４つの異なるパスにナビゲートするために、トラックパッド５３２の移動上で上、下、左又は右の移動を示すことができる。この例において、ユーザがトラックパッド５３２にわたり指を左に移動する場合、画面はステータスページ６０２にナビゲートする。ステータスページ６０２は、バッテリレベル、使用可能な記憶容量、ＧＰＳ受信レベル、インストールされるソフトウェアバージョン又はウォッチ５００のシリアル番号等のステータス情報を表示してもよい。
【００６３】
この例において、ユーザがトラックパッド５３２にわたり指を上方向に移動する場合、画面は、ホームページ６００からスマートフォンページ６０４にナビゲートする。メニューシステムのこのページは、スマートフォンとの接続を開始又は制御するために使用されてもよい。
【００６４】
この例において、ユーザがトラックパッド５３２にわたり指を下方向に移動する場合、画面は、ホームページ６００から設定ページ６０６にナビゲートする。これにより、ユーザは、ウォッチ５００の設定を確認又は変更できる。例えばユーザは、ウォッチプロファイル、クロック、ウォッチセンサ又は接続性を閲覧又は変更してもよい（例えば、機内モードと非機内モードとの間で）。ユーザは、トラックパッド５３２にわたる適切な動きにより設定メニュー内で個々のオプションを上下にナビゲートしてもよく、トラックパッド５３２にわたる左又は右の動きを使用することにより、あるいはトラックパッド５３２を押下することにより、閲覧又は変更すべき設定を選択してもよい。これにより、図１１及び図１２に示されない更なるメニューページにユーザを導いてもよい。
【００６５】
示される例において、ユーザがトラックパッド５３２にわたり指を左に移動する場合、画面は、ホームページ６００からアプリケーションメニュー６０８にナビゲートする。次にユーザは、ウォッチにおいて使用したい種類のモードを選択してもよい。例えばユーザは、ランニングモード、自転車モード、プールモード及び／又は屋外水泳モード等の水泳モード、あるいはトライアスロンモードを選択してもよい。ユーザは、トラックパッド５３２にわたる適切な動きによりアプリケーションメニュー内で個々のオプションを上下にナビゲートしてもよく、トラックパッド５３２にわたる左又は右の動きを使用することにより、あるいはトラックパッド５３２を押下することにより、使用すべきモードを選択してもよい。これにより、ユーザをアプリケーションコンテンツページ６１０に導く。図１２に示される例において、ランニングモードが選択されており、アプリケーションコンテンツページはランニングモードに対して設定される。デバイスのＧＰＳの場所が判定されると、ウォッチは、ペース、移動距離（左上）及び使用された推定カロリー（右上）を示すランニングページ６１２を表示する。
【００６６】
図１２は、トレーニングモードが選択されるとウォッチにより表示されてもよい４つの他のディスプレイを示す。
【００６７】
画面６１４は、ユーザが移動したい目標距離を示しており、且つウォッチが現在の場所からその目標までの距離を表示する「ゴール」モードを示す。示される例において、ユーザは、１０ｋｍ移動したらゴールであることをウォッチに入力しており、ウォッチは、この１０ｋｍのゴールに到達するための現在の場所からの距離が７．５ｋｍであることを示している。
【００６８】
画面６１６は、ウォッチがユーザの心拍数を表示する「ゾーン」モードを示す。ディスプレイは、ユーザの心拍数がユーザにより選択された目標の心拍数に対してどのように経時変化するかの棒グラフを更に示す。
【００６９】
画面６１８は、ユーザが移動したサーキットのラップの数を表示する「ラップ」モードを示す。例えばウォッチは、ユーザが移動したスイミングプールのラップの数又は事前定義済みの距離を走った、例えば従来の４００ｍのランニング用トラックを回った回数をカウントしてもよい。
【００７０】
画面６２０は、「レース（race me）」モードを示す。このディスプレイは、ユーザが競争している別の競争者の場所を示すために第２の矢印があることを除いて、ゴールモード６１４のディスプレイに類似する。この例においては競争距離はたった２．３ｋｍであるが、競争の全体の距離は、ゴールモード６１４の方法と同様に表示される。ユーザと競争者との間の距離が更に示され、この例においては２３ｍである。第２の矢印は、現実の競争者を表してもよく、（デバイスが、リアルタイムで別の隣接デバイスから場所及び／又はペースのデータを受信できる場合）、あるいは例えばユーザにより事前に入力された要求に基づいて、その進捗がウォッチ５００により生成される仮想競争者を表してもよい。
【００７１】
ウォッチ５００は、例えばユーザが新しいラップを開始している時、あるいは特定の目標又はゴールに到達した時に警告をユーザに示してもよい。そのような警告は、ウォッチ２１４上のスピーカ、ウォッチ５００のディスプレイ２１０、５２２又はウォッチの振動デバイス５３０によりユーザに提供されてもよい。
【００７２】
以上、本発明の種々の態様及び実施形態を説明したが、本出願の範囲は本明細書に記載される特定の構成に限定されるのではなく、添付の特許請求の範囲の範囲に含まれる全ての構成、並びにそれらに対する変更及び変形を含むことが理解されるだろう。
【００７３】
例えば、前述の詳細な説明中で説明した実施形態はＧＰＳを参照するが、ウォッチは、ＧＰＳの代わりに（又は実際はＧＰＳに加えて）あらゆる種類の位置感知技術を利用してもよい。例えばウォッチは、欧州のＧａｌｉｌｅｏシステム等の他のグローバルナビゲーション衛星システムを利用してもよい。同様に、ウォッチは衛星を使用したシステムに限定されず、地上ビーコン又はウォッチが地理的場所を判定できるようにする他の種類のシステムを使用して容易に機能できる。
【００７４】
最後に、添付の特許請求の範囲は本明細書で説明した特徴の特定の組み合わせを説明するが、本発明の範囲は、以下に請求される特定の組み合わせに限定されず、特定の組み合わせが今回の添付の特許請求の範囲で特に列挙されているか否かに関係なく、本明細書で開示される実施形態又は特徴のあらゆる組み合わせを含む。
【図１】
0006377083.tif 000002
【図２】
0006377083.tif 000003
【図３】
0006377083.tif 000004
【図４】
0006377083.tif 000005
【図５】
0006377083.tif 000006
【図６】
0006377083.tif 000007
【図７】
0006377083.tif 000008
【図８】
0006377083.tif 000009
【図９】
0006377083.tif 000010
【図１０】
0006377083.tif 000011
【図１１】
0006377083.tif 000012
【図１２】
0006377083.tif 000013